(57)【要約】      （修正有）【課題】充電することができない環境における移動機の移動機数に基づいた人口を算出することができる人口算出装置および人口算出方法を提供する。【解決手段】稼動端末数取得部１０１は、位置登録のための信号数を計数することにより、稼動している稼動端末数を取得するとともに、端末数推定部１０５は、充電不可状態からの経過時間を示す経過情報を取得する。そして、モデル生成部１０３は、あらかじめ定められた電池残量分布モデルに基づいて、充電不可状態からの時間経過とともに減少する稼動端末数を示す稼動端末モデルを生成し、端末数推定部１０５は、モデル生成部１０３により生成された稼動端末モデルおよび取得された経過情報に基づいて現存端末数を推定して、人口算出部１０６は、現存端末数に基づいて人口を算出する。【選択図】図２
2012083907.tif 000002
【特許請求の範囲】
【請求項１】
稼動している稼動端末数を取得する端末数取得手段と、
充電不可状態からの経過時間を示す経過情報を取得する経過時間取得手段と、
あらかじめ定められた電池残量分布モデルに基づいて、充電不可状態からの時間経過とともに減少する稼動端末数を示す稼動端末モデルを生成する生成手段と、
前記端末数取得手段により取得された稼動端末数、前記生成手段により生成された稼動端末モデルおよび前記経過時間取得手段により取得された経過情報に基づいて現存端末数を推定する推定手段と、
前記推定手段により推定された現存端末数に基づいて人口を算出する人口算出手段と、
を備える人口算出装置。
【請求項２】
前記推定手段は、
前記稼動端末モデルにおける、充電不可状態からの経過時間が０である時点の仮想稼動端末数を、前記所定基準時間から所定時間経過した時点における仮想稼動端末数で除算して得られた補正係数を算出し、前記端末数取得手段により取得された稼動端末数に当該補正係数を乗算することにより、現存端末数を算出することを特徴とする請求項１に記載の人口算出装置。
【請求項３】
領域の指定を受け付ける受付手段をさらに備え、
前記推定手段は、前記受付手段により受け付けられた領域における稼動端末数に基づいて現存端末数を算出することを特徴とする請求項１に記載の人口算出装置。
【請求項４】
稼動している稼動端末数を取得する端末数取得ステップと、
充電不可状態からの経過時間を示す経過情報を取得する経過時間取得ステップと、
あらかじめ定められた電池残量分布モデルに基づいて、充電不可状態からの時間経過とともに減少する稼動端末数を示す稼動端末モデルを生成する生成ステップと、
前記端末数取得ステップにおいて取得された稼動端末数、前記生成ステップにより生成された稼動端末モデルおよび前記経過時間取得ステップにおいて取得された経過情報に基づいて現存端末数を推定する推定ステップと、
前記推定ステップにより推定された現存端末数に基づいて人口を算出する人口算出ステップと、
を備える人口算出方法。
【発明の詳細な説明】
【技術分野】
【０００１】
本発明は、移動機から発信される信号に基づいて人口を算出する人口算出装置および人口算出方法に関する。
【背景技術】
【０００２】
従来から、携帯端末の位置情報を取得して、その位置情報をもとに携帯端末のユーザの人口分布を解析する装置が知られている（下記特許文献１，２参照）。このように携帯端末の位置情報を用いることで、国勢調査等により得られた人口統計データに比べて、ユーザの移動傾向も反映した人口分布を得ることができる。
【０００３】
例えば、特許文献１に記載の装置は、携帯端末のそれぞれに関する位置情報を格納するデータベースを利用して、ターゲット地域およびターゲット層に対応する人口分布を集計している。また、特許文献２に記載の装置は、端末確認信号を受信した端末の応答信号の基地局毎の集計結果を人口密集度情報として生成することを開示している。
【先行技術文献】
【特許文献】
【０００４】
【特許文献１】特開２００３−３０３７３号公報
【特許文献２】特開２００５−２８６６５７号公報
【発明の概要】
【発明が解決しようとする課題】
【０００５】
しかしながら、上述特許文献１および２に記載の技術では、正確に移動機数を計測することができない場合がある。例えば、災害発生時には、充電できずに、電源断となった移動機が増加することが予想される。電源断となった移動機は、位置登録信号などの各種信号を発信することができず、そのため、特許文献１および２に記載の装置は、移動機数としてカウントすることができず、正確な人口を算出することができない、という問題がある。特に、災害時においては、正確な被災者数などを算出することが求められており、上述特許文献１および２に記載されている技術における問題は顕著なものとなる。
【０００６】
そこで、本発明においては、充電することができない環境における移動機の移動機数に基づいた人口を算出することができる人口算出装置および人口算出方法を提供することを目的とする。
【課題を解決するための手段】
【０００７】
上述の課題を解決するために、本発明の人口算出装置は、稼動している稼動端末数を取得する端末数取得手段と、充電不可状態からの経過時間を示す経過情報を取得する経過時間取得手段と、あらかじめ定められた電池残量分布モデルに基づいて、充電不可状態からの時間経過とともに減少する稼動端末数を示す稼動端末モデルを生成する生成手段と、前記端末数取得手段により取得された稼動端末数、前記生成手段により生成された稼動端末モデルおよび前記経過時間取得手段により取得された経過情報に基づいて現存端末数を推定する推定手段と、前記推定手段により推定された現存端末数に基づいて人口を算出する人口算出手段と、を備えている。
【０００８】
また、本発明の人口算出方法は、稼動している稼動端末数を取得する端末数取得ステップと、充電不可状態からの経過時間を示す経過情報を取得する経過時間取得ステップと、あらかじめ定められた電池残量分布モデルに基づいて、充電不可状態からの時間経過とともに減少する稼動端末数を示す稼動端末モデルを生成する生成ステップと、前記端末数取得ステップにおいて取得された稼動端末数、前記生成ステップにより生成された稼動端末モデルおよび前記経過時間取得ステップにおいて取得された経過情報に基づいて現存端末数を推定する推定ステップと、前記推定ステップにより推定された現存端末数に基づいて人口を算出する人口算出ステップと、を備えている。
【０００９】
この発明によれば、稼動している稼動端末数を取得するとともに、充電不可状態からの経過時間を示す経過情報を取得し、あらかじめ定められた電池残量分布モデルに基づいて、充電不可状態からの時間経過とともに減少する稼動端末数を示す稼動端末モデルを生成し、稼動端末数、稼動端末モデルおよび取得された経過情報に基づいて現存端末数を推定して、現存端末数に基づいて人口を算出する。
【００１０】
これにより、現存端末数に基づいて正確な人口を算出することができる。すなわち、充電できずに電源断となった端末を考慮した現存端末数を推定して、この推定された現存端末数に基づいて人口を算出することで、より正確な人口を算出することができる。
【００１１】
また、本発明の人口算出装置において、前記推定手段は、前記稼動端末モデルにおける、充電不可状態からの経過時間が０である時点の仮想稼動端末数を、前記所定基準時間から所定時間経過した時点における仮想稼動端末数で除算して得られた補正係数を算出し、前記端末数取得手段により取得された稼動端末数に当該補正係数を乗算することにより、現存端末数を算出することを特徴とする。
【００１２】
この発明によれば、稼動端末モデルにおける、充電不可状態からの経過時間が０である時点の仮想稼動端末数を、所定基準時間から所定時間経過した時点における仮想稼動端末数で除算して得られた補正係数を算出し、取得された稼動端末数に当該補正係数を乗算することにより、現存端末数を算出する。これにより、電源断となった端末を考慮した正確な現存端末数を算出することができる。
【００１３】
また、本発明の人口算出装置は、領域の指定を受け付ける受付手段をさらに備え、前記推定手段は、前記受付手段により受け付けられた領域における稼動端末数に基づいて現存端末数を算出する。
【００１４】
この発明によれば、受け付けられた領域における稼動端末数に基づいて稼動端末数を算出することができ、これにより、任意の領域の正確な人口を算出することができる。
【発明の効果】
【００１５】
本発明によれば、現存端末数に基づいて正確な人口を算出することができる。すなわち、充電できずに電源断となった端末を考慮した現存端末数を推定して、この推定された現存端末数に基づいて人口を算出することで、より正確な人口を算出することができる。
【図面の簡単な説明】
【００１６】
【図１】本実施形態の通信システム１０のシステム構成図である。
【図２】人口算出装置５０３ａの機能を示すブロック図である。
【図３】人口算出装置５０３ａのハードウェア構成図である。
【図４】電池残量分布モデルを模式的に示す模式図である。
【図５】稼動端末モデルを模式的に示した模式図である。
【図６】人口算出装置５０３ａにおける人口算出処理を示すフローチャートである。
【発明を実施するための形態】
【００１７】
添付図面を参照しながら本発明の実施形態を説明する。可能な場合には、同一の部分には同一の符号を付して、重複する説明を省略する。
【００１８】
図１は、本実施形態の通信システム１０のシステム構成図である。図１に示すように、この通信システム１０は、移動機１００、ＢＴＳ（基地局）２００、ＲＮＣ（無線制御装置）３００、交換機４００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。
【００１９】
交換機４００は、ＢＴＳ２００、ＲＮＣ３００を介して、移動機１００のセクタのセクタＩＤであるＳＡＩ（Subscriber Area ID）を収集する。ＲＮＣ３００は、移動機１００があるセクタに在圏している場合に、そのセクタのＳＡＩを把握し、取得することができる。交換機４００は、このように取得された移動機１００のＳＡＩを、移動機１００が通信接続を実行する際に受け取ることができる。交換機４００は受け取ったＳＡＩを記憶しておき、所定のタイミング、または管理センタ５００からの要求に応じて収集したＳＡＩを管理センタ５００に出力する。ここで、一般的に、ＲＮＣ３００は、約千個からなるものであり、日本全国に配置されている。一方で、交換機４００は、３００個程度日本国内に配置されている。
【００２０】
管理センタ５００は、上述したとおり、社会センサユニット５０１、ペタマイニングユニット５０２、モバイルデモグラフィユニット５０３、および可視化ソリューションユニット５０４を含んで構成されており、各ユニットでは、移動機１００の位置情報に用いた統計処理を行う。
【００２１】
社会センサユニット５０１は、各交換機４００から移動機１００のＳＡＩ等を含んだデータを収集するサーバ装置である。この社会センサユニット５０１は、交換機４００から定期的に出力されたデータを受信したり、または社会センサユニット５０１において予め定められたタイミングに従って交換機４００からデータを取得したりできるように構成されている。
【００２２】
ペタマイニングユニット５０２は、社会センサユニット５０１から受信したデータを所定のデータ形式に変換するサーバ装置である。例えば、ペタマイニングユニット５０２は、ユーザＩＤをキーにソーティング処理を行ったり、エリアごとにソーティング処理を行ったりする。
【００２３】
モバイルデモグラフィユニット５０３は、ペタマイニングユニット５０２において処理されたデータに対する集計処理、すなわち各項目のカウンティング処理を行うサーバ装置である。例えば、モバイルデモグラフィユニット５０３は、あるエリアに在圏するユーザ数をカウントしたり、また在圏分布を集計したりすることができる。
【００２４】
可視化ソリューションユニット５０４は、モバイルデモグラフィユニット５０３において集計処理されたデータを可視可能に処理するサーバ装置である。例えば、可視化ソリューションユニット５０４は、集計されたデータを地図上にマッピング処理することができる。なお、このように統計処理された情報は、当然にプライバシーを侵害しないように個人等は特定されないように加工されている。
【００２５】
つぎに、モバイルデモグラフィユニット５０３として配置されている人口算出装置５０３ａについて説明する。図２は、人口算出装置５０３ａの機能を示すブロック図である。この人口算出装置５０３ａは、稼動端末数取得部１０１（端末数取得手段）、電池残量分布記憶部１０２、モデル生成部１０３（生成手段）、停電領域取得部１０４（受付手段）、端末数推定部１０５（経過時間取得手段、推定手段）、人口算出部１０６（人口算出手段）、および人口可視化処理部１０７を含んで構成されている。
【００２６】
このように構成された人口算出装置５０３ａは、図３に示されるハードウェアにより構成されている。図３は、人口算出装置５０３ａのハードウェア構成図である。図２に示される人口算出装置５０３ａは、物理的には、図３に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２７】
稼動端末数取得部１０１は、移動機１００により行われる位置登録処理のための信号数、すなわち位置登録処理の処理数を計数することにより、稼動端末数を取得する部分である。
【００２８】
電池残量分布記憶部１０２は、電池残量分布モデルを記憶する部分である。この電池残量分布モデルは、電池残量と端末数との分布を示したものである。図４は、電池残量分布モデルを模式的に示す模式図である。この電池残量分布モデルは、正規分布に従うものとして生成された理想的なモデルである。なお、この電池残量分布モデルは、通信事業者において管理されている移動機を対象としたものとし、その総数は、日本全国においてその通信事業者と契約されている数となる。
【００２９】
また、この電池残量分布モデルは、正規分布することを前提として構築されたものであるが、ユーザアンケートにより、通信状況を把握することにより、修正されることが望ましい。
【００３０】
モデル生成部１０３は、電池残量分布記憶部１０２に記憶されている電池残量分布モデルに従って、稼動端末モデルを生成する部分であり、充電不可状態の継続時間と、全移動機の電池残量とから計算することができる。この稼動端末モデルは、充電不可の状態にいる場合において、充電不可状態（停電）となった経過時間と、現に稼動している端末の稼動端末数とを表したものである。
【００３１】
具体的には、以下の処理により、稼動端末モデルを算出することができる。すなわち、モデル生成部１０３は、電池残量分布モデルを利用して、単位時間経過したときにおいて電池残量が０となる電池残量を求め、その電池残量以上の端末を計数する。このようにして、単位時間ごとに電池残量が０となる電池残量を有する端末数を計数することにより経過時間に従った稼動端末数、すなわち稼動端末モデルを算出することができる。
【００３２】
より詳細には、経過時間ごと（例えば５分経過ごと）の電池減少量は概ね把握できるため、これを利用して稼動端末を算出する。まず、所定電池残量における電池残量分布モデルを積分する。この積分して得た値は、電池切れとなった端末である。よって、それを端末総数から減算することにより、稼動端末数を算出することができる。これを所定電池残量ごとに行うことにより、経過時間ごとの稼動端末数を算出することができる。
【００３３】
図５に、稼動端末モデルを模式的に示した模式図を示す。図５に示されるとおり、稼動端末モデルは、経過時間ごとの仮想的な仮想稼動端末数を示したものであって、充電不可の状態（例えば停電）からの経過時間に伴って、稼動端末数が少なくなる傾向を示している。特に、経過時間があまり経過していない状態では、その減少率は少ないものの、所定時間が経過すると、その減少率は急激なものとなり、その後、また緩やかな減少率をもって、稼動端末数が減少している様子を表している。
【００３４】
停電領域取得部１０４は、停電した領域（充電不可の領域）を示す停電情報を取得する部分である。この停電情報は、停電となった時間、およびその領域を示す情報であって、その領域は、セクタを示す情報であってもよいし、所定の領域であるメッシュ領域を示す情報であってもよい。これら停電領域を示した停電情報は、電力会社、行政庁などから提供される情報であり、ネットワークを介して取得してもよし、オペレータにより入力処理により得られるものとしてもよい。なお、本実施形態では、停電した状態を想定したものであるが、これに限るものではなく、充電不可の状態となる領域およびその時間を特定できればよい。
【００３５】
端末数推定部１０５は、稼動端末数取得部１０１により取得された移動機１００の移動機数、モデル生成部１０３により生成された稼動端末モデル、および停電領域取得部１０４により取得された停電情報から演算された経過時間に基づいて、その停電領域に存在している端末数（現存移動機数）を算出する部分である。すなわち、端末数推定部１０５は、移動機１００の電源が入っていることを前提にしてその移動機１００における位置登録などの処理を計数することにより、移動機数を取得する。
【００３６】
一方、移動機において、停電などで充電ができない状態である場合には、徐々に電池切れとなる移動機が出現して、位置登録処理数と、実際に存在している移動機数との不一致が生じる。そのため、稼動端末数に所定の補正係数を乗算することにより、正確な値に近づけようとするものである。
【００３７】
具体的には、以下の式（１）により、現存する移動機数が推定・算出される。
現存移動機数＝稼動端末数×補正係数・・・（１）
補正係数は、稼動端末モデルから求めることができ、停電からの経過時間における稼動端末数を求め、全端末数／稼動端末数を算出することにより得られる係数である。
【００３８】
なお、端末数推定部１０５は、停電情報から停電となった経過時間を算出し、上述の稼動端末モデルから稼動端末数を求めることができる。
【００３９】
人口算出部１０６は、端末数推定部１０５により算出された現存移動機数に基づいて、その停電領域にいる人口を算出する部分である。具体的には、以下の式（２）により人口が算出される。
現存移動機数＝稼動端末数×拡大係数・・・（２）
拡大係数は、日本全国の人口を、日本全国に存在する移動機数（現実的には、一の通信事業者において契約している移動機の移動機数）で除算した値とする。例えば、日本の人口が概ね１億人、ある通信事業者における契約台数を５０００万台とすると、拡大係数は２となる。これは移動機を一つ数えることができれば、そこには２人存在することを示している。この拡大係数はあらかじめ人口算出装置５０３ａのオペレータ、管理者などにより設定される値である。
【００４０】
人口可視化処理部１０７は、人口算出部１０６において算出された人口を表示するための処理を行う部分であり、例えば、数字として表示したり、もしくはイメージなどにより表示することもできる。
【００４１】
つぎに、本実施形態の人口算出装置５０３ａの処理について説明する。図６は、本実施形態の人口算出装置５０３ａにおける人口算出処理を示すフローチャートである。以下、各ステップについて説明する。まず、停電領域取得部１０４により、停電情報が取得され、当該停電情報に含まれている停電領域が取得される（Ｓ１０１）。そして、稼動端末数取得部１０１により、停電領域における稼動端末数が取得される（Ｓ１０２）。
【００４２】
一方、モデル生成部１０３により、電池残量分布記憶部１０２に記憶されている電池残量分布モデルに従って、稼動端末モデルが生成される（Ｓ１０３）。そして、端末数推定部１０５により、生成された稼動端末モデルに基づいて求められた補正係数を稼動端末数に乗算することにより、現存移動機数が算出され、推定される（Ｓ１０４）。
【００４３】
人口算出部１０６により、算出された現存移動機数と、あらかじめ設定されている拡大係数とが乗算されることにより、人口が算出される（Ｓ１０５）。そして、算出された人口は、人口可視化処理部１０７により可視化処理され表示される（Ｓ１０６）。
【００４４】
このような処理により、停電など充電不可領域における人口を移動機数に基づいて算出することができ、より現状に近く、正確な人口を算出することができる。
【００４５】
つぎに、本実施形態の人口算出装置５０３ａの作用効果について説明する。本実施形態の人口算出装置５０３ａにおいて、稼動端末数取得部１０１は、位置登録のための信号数を計数することにより、稼動している稼動端末数を取得するとともに、端末数推定部１０５は、充電不可状態からの経過時間を示す経過情報を取得する。そして、モデル生成部１０３は、あらかじめ定められた電池残量分布モデルに基づいて、充電不可状態からの時間経過とともに減少する稼動端末数を示す稼動端末モデルを生成し、端末数推定部１０５は、稼動端末数取得部１０１により取得された稼動端末数、モデル生成部１０３により生成された稼動端末モデルおよび取得された経過情報に基づいて現存端末数を推定して、人口算出部１０６は、現存端末数に基づいて人口を算出する。そして、人口可視化処理部１０７は、オペレータなどが視認することができる情報に加工して表示等することができる。例えば、地図を表示して、その地図に人口を表示することができる。
【００４６】
これにより、現存端末数に基づいて正確な人口を算出することができる。すなわち、充電できずに電源断となった端末を考慮した現存端末数を推定して、この推定された現存端末数に基づいて人口を算出することで、より正確な人口を算出することができる。
【００４７】
また、本実施形態の人口算出装置５０３ａにおいて、端末数推定部１０５は、稼動端末モデルにおける充電不可状態からの経過時間が０である時点の稼動端末数（仮想稼動端末数）を、所定基準時間から所定時間経過した時点における稼動端末数（仮想稼動端末数）で除算して得られた補正係数を算出し、取得された稼動端末数に当該補正係数を乗算することにより、現存端末数を算出する。これにより、電源断となった端末を考慮した正確な現存端末数を算出することができる。
【００４８】
また、本実施形態の人口算出装置５０３ａにおいて、停電領域取得部１０４は、オペレータ等により停電領域を受け付け、端末数推定部１０５は、稼動端末数取得部１０１において取得された稼動端末数のうち、当該停電領域における稼動端末数を取得して、受け付けられた領域における稼動端末数を取得することができ、これにより、任意の領域の正確な人口を算出することができる。なお、稼動端末数取得部１０１において、停電領域に存在する稼動端末数を取得するようにしてもよい。
【符号の説明】
【００４９】
１０１…稼動端末数取得部、１０２…電池残量分布記憶部、１０３…モデル生成部、１０４…停電領域取得部、１０５…端末数推定部、１０６…人口算出部、１０７…人口可視化処理部、４００…交換機、５００…管理センタ、５０１…社会センサユニット、５０２…ペタマイニングユニット、５０３…モバイルデモグラフィユニット、５０３ａ…人口算出装置、５０４…可視化ソリューションユニット。
【図１】
2012083907.tif 000003
【図２】
2012083907.tif 000004
【図３】
2012083907.tif 000005
【図４】
2012083907.tif 000006
【図５】
2012083907.tif 000007
【図６】
2012083907.tif 000008